(57)【要約】【課題】ＰＣ、ワークステーション等に搭載される出力装置を制御するプリンタドライバ、及び情報処理端末を提供する。【解決手段】画像形成装置側における自動給紙トレイ選択処理としてではなく、印刷動作を要求するプリンタドライバにおいて、予め双方向通信や、ユーザからの設定によって得られた、機器搭載の給紙トレイの情報に基づいて、印刷原稿に対応する用紙を保持する給紙トレイを自動選択することにより、画像形成装置にかかるコストを抑えることが可能となる。また、ユーザからの印刷を所望する用紙サイズ、用紙種類、用紙向きから自己判断する給紙トレイ指定設定処理を省き、その決定処理を自動処理にてプリンタドライバで実施することで、ユーザに常に最適な自動給紙トレイ選択処理を自動で実施することが可能となり、ユーザの煩雑な操作を軽減することが可能となる。【選択図】図３
2007233467.tif 000002
【特許請求の範囲】
【請求項１】
複数の給紙トレイを備える画像形成装置のプリンタドライバにおいて、
前記各給紙トレイが保持する用紙の用紙種類、用紙サイズ、及び向きに基づき、印刷原稿に対応する用紙を保持する前記給紙トレイを設定することを特徴とするプリンタドライバ。
【請求項２】
前記印刷原稿の用紙サイズが、いずれの給紙トレイに保持される用紙のサイズとも一致しなかった場合、用紙サイズにかかわらず、前記印刷原稿の用紙種類と一致する用紙を保持する給紙トレイからの給紙を設定することを特徴とする請求項１記載のプリンタドライバ。
【請求項３】
前記画像形成装置が全ての用紙を保持できる第１の給紙トレイと、特定の用紙のみ保持できる第２の給紙トレイとを有し、
前記印刷原稿の用紙サイズがいずれの給紙トレイに保持される用紙のサイズとも一致せず、かつ前記印刷原稿の用紙種類及び向きが全ての給紙トレイと一致している場合、前記第２の給紙トレイからの給紙を設定することを特徴とする請求項１記載のプリンタドライバ。
【請求項４】
前記画像形成装置が全ての用紙を保持できる第１の給紙トレイと、特定の用紙のみ保持できる第２の給紙トレイとを有し、
前記印刷原稿の用紙サイズがいずれの給紙トレイに保持される用紙のサイズとも一致せず、前記印刷原稿の用紙種類が全ての給紙トレイと一致し、かつ前記印刷原稿の向きが前記第１の給紙トレイとのみ一致している場合、前記第１の給紙トレイからの給紙を設定することを特徴とする請求項１記載のプリンタドライバ。
【請求項５】
前記画像形成装置が全ての用紙を保持できる第１の給紙トレイと、特定の用紙のみ保持できる第２の給紙トレイとを有し、
前記印刷原稿の用紙サイズがいずれの給紙トレイに保持される用紙のサイズとも一致せず、前記印刷原稿の用紙種類が全ての給紙トレイと一致し、かつ前記印刷原稿の向きが前記第１の給紙トレイと一致しなかった場合、前記第２の給紙トレイからの給紙を設定することを特徴とする請求項１記載のプリンタドライバ。
【請求項６】
前記画像形成装置が全ての用紙を保持できる第１の給紙トレイと、特定の用紙のみ保持できる第２の給紙トレイとを有し、
前記印刷原稿の用紙サイズが全ての給紙トレイに保持される用紙のサイズと一致し、かつ前記印刷原稿の用紙種類及び向きが全ての給紙トレイと一致した場合、用紙サイズにかかわらず、前記第２の給紙トレイからの給紙を設定することを特徴とする請求項１記載のプリンタドライバ。
【請求項７】
前記画像形成装置が全ての用紙を保持できる第１の給紙トレイと、特定の用紙のみ保持できる第２の給紙トレイとを有し、
前記印刷原稿の用紙サイズが全ての給紙トレイに保持される用紙のサイズと一致し、前記印刷原稿の用紙種類が全ての給紙トレイと一致し、かつ前記印刷原稿の向きが全ての用紙種類を保持できる給紙トレイとのみ一致した場合、用紙サイズにかかわらず、前記第１の給紙トレイからの給紙を設定することを特徴とする請求項１記載のプリンタドライバ。
【請求項８】
前記画像形成装置が全ての用紙を保持できる第１の給紙トレイと、特定の用紙のみ保持できる第２の給紙トレイとを有し、
前記印刷原稿の用紙サイズが全ての給紙トレイに保持される用紙のサイズと一致し、前記印刷原稿の用紙種類が全ての給紙トレイと一致し、かつ前記印刷原稿の向きが前記第１の給紙トレイと一致しなかった場合、用紙サイズにかかわらず、前記第２の給紙トレイからの給紙を設定することを特徴とする請求項１記載のプリンタドライバ。
【請求項９】
前記画像形成装置が全ての用紙を保持できる第１の給紙トレイと、特定の用紙のみ保持できる第２の給紙トレイとを有し、
前記印刷原稿の用紙サイズが全ての給紙トレイに保持される用紙のサイズと一致し、かつ前記印刷原稿の用紙種類が前記第２の給紙トレイとのみ一致した場合、用紙サイズにかかわらず、前記第２の給紙トレイからの給紙を設定することを特徴とする請求項１記載のプリンタドライバ。
【請求項１０】
前記画像形成装置が全ての用紙を保持できる第１の給紙トレイと、特定の用紙のみ保持できる第２の給紙トレイとを有し、
前記印刷原稿の用紙サイズが全ての給紙トレイに保持される用紙のサイズと一致し、かつ前記印刷原稿の用紙種類が前記第２の給紙トレイとのみ一致した場合、用紙サイズにかかわらず、前記第２の給紙トレイからの給紙を設定することを特徴とする請求項１記載のプリンタドライバ。
【請求項１１】
前記画像形成装置が全ての用紙を保持できる第１の給紙トレイと、特定の用紙のみ保持できる第２の給紙トレイとを有し、
前記印刷原稿の用紙サイズが前記第１の給紙トレイとのみ一致し、かつ前記印刷原稿の用紙サイズが全ての給紙トレイと一致した場合、前記第１の給紙トレイからの給紙を設定することを特徴とする請求項１記載のプリンタドライバ。
【請求項１２】
前記画像形成装置が全ての用紙を保持できる第１の給紙トレイと、特定の用紙のみ保持できる第２の給紙トレイとを有し、
前記印刷原稿の用紙サイズ及び用紙種類が前記第２の給紙トレイとのみ一致した場合、前記第２の給紙トレイからの給紙を設定することを特徴とする請求項１記載のプリンタドライバ。
【請求項１３】
前記画像形成装置が全ての用紙を保持できる第１の給紙トレイと、特定の用紙のみ保持できる第２の給紙トレイとを有し、
前記印刷原稿の用紙サイズが前記第２の給紙トレイとのみ一致し、かつ前記印刷原稿の用紙種類が全ての給紙トレイと一致した場合、前記第２の給紙トレイからの給紙を設定することを特徴とする請求項１記載のプリンタドライバ。
【請求項１４】
前記画像形成装置が全ての用紙を保持できる第１の給紙トレイと、特定の用紙のみ保持できる第２の給紙トレイとを有し、
前記印刷原稿の用紙サイズ及び用紙種類が全ての給紙トレイと一致しない場合、前記第１の給紙トレイからの給紙を設定することを特徴とする請求項１記載のプリンタドライバ。
【請求項１５】
前記画像形成装置が全ての用紙を保持できる第１の給紙トレイと、特定の用紙のみ保持できる第２の給紙トレイとを有し、
前記印刷原稿の用紙サイズが全ての給紙トレイと一致せず、かつ前記印刷原稿の用紙種類が前記第１の給紙トレイとのみ一致した場合、前記第１の給紙トレイからの給紙を設定することを特徴とする請求項１記載のプリンタドライバ。
【請求項１６】
前記画像形成装置が全ての用紙を保持できる第１の給紙トレイと、特定の用紙のみ保持できる第２の給紙トレイとを有し、
前記印刷原稿の用紙サイズが全ての給紙トレイと一致し、かつ前記印刷原稿の用紙種類が全ての給紙トレイと一致しなかった場合、前記第１の給紙トレイからの給紙を設定することを特徴とする請求項１記載のプリンタドライバ。
【請求項１７】
前記画像形成装置が全ての用紙を保持できる第１の給紙トレイと、特定の用紙のみ保持できる第２の給紙トレイとを有し、
前記印刷原稿の用紙サイズが全ての給紙トレイと一致し、かつ前記印刷原稿の用紙種類が前記第１の給紙トレイとのみ一致した場合、前記第１の給紙トレイからの給紙を設定することを特徴とする請求項１記載のプリンタドライバ。
【請求項１８】
前記画像形成装置が全ての用紙を保持できる第１の給紙トレイと、特定の用紙のみ保持できる第２の給紙トレイとを有し、
前記印刷原稿の用紙サイズが前記第１の給紙トレイとのみ一致し、かつ前記印刷原稿の用紙種類が全ての給紙トレイと一致しなかった場合、前記第１の給紙トレイからの給紙を設定することを特徴とする請求項１記載のプリンタドライバ。
【請求項１９】
前記画像形成装置が全ての用紙を保持できる第１の給紙トレイと、特定の用紙のみ保持できる第２の給紙トレイとを有し、
前記印刷原稿の用紙サイズ及び用紙種類が前記第１の給紙トレイとのみ一致した場合、前記第１の給紙トレイからの給紙を設定することを特徴とする請求項１記載のプリンタドライバ。
【請求項２０】
前記画像形成装置が全ての用紙を保持できる第１の給紙トレイと、特定の用紙のみ保持できる第２の給紙トレイとを有し、
前記印刷原稿の用紙サイズが前記第２の給紙トレイとのみ一致し、かつ前記印刷原稿の用紙種類が全ての給紙トレイと一致しなかった場合、前記第１の給紙トレイからの給紙を設定することを特徴とする請求項１記載のプリンタドライバ。
【請求項２１】
前記画像形成装置が全ての用紙を保持できる第１の給紙トレイと、特定の用紙のみ保持できる第２の給紙トレイとを有し、
前記印刷原稿の用紙サイズが前記第２の給紙トレイとのみ一致し、かつ前記印刷原稿の用紙種類が前記第１の給紙トレイとのみ一致した場合、前記第１の給紙トレイからの給紙を設定することを特徴とする請求項１記載のプリンタドライバ。
【請求項２２】
請求項１から２２のいずれか１項記載のプリンタドライバを有することを特徴とする情報処理端末。
【発明の詳細な説明】
【技術分野】
【０００１】
本発明は、プリンタドライバ、及び情報処理端末に関し、特に、ＰＣ、ワークステーション等に搭載される出力装置を制御するプリンタドライバ、及び情報処理端末に関する。
【背景技術】
【０００２】
複数の給紙トレイを有する従来のプリンタは、ＰＣ、ワークステーション等から指定された用紙サイズ、用紙種類、用紙向き等の印刷条件に基づいて紙を供給する給紙トレイを選択していた。また、給紙選択された給紙トレイ内の用紙がプリント実行中になくなった場合、切り替える先の給紙トレイの選択についてはプリンタ側に一任されていた。
【０００３】
特許文献１では、複数の給紙トレイを備え、選択された上記給紙トレイ内の用紙がプリント実行中に無くなった場合に、所定の給紙トレイに自動的に切り替えて給紙するリミットレス給紙機能を備えたプリンタ装置において、上記給紙トレイごとに該トレイの紙種情報を持ち、選択された給紙トレイの紙種と同じ紙種をもつ上記給紙トレイへの切り替えのみを可能とすることにより、リミットレス給紙をする際に異紙種間へのトレイ切り替えを防ぐことができ、それによって、ユーザが各給紙トレイに用途に応じた紙種を設定しておくことによって、意図せぬ用紙の給紙を防ぐことができるプリンタ装置が提案されている。
【特許文献１】特開２０００−１４３０１７号公報
【発明の開示】
【発明が解決しようとする課題】
【０００４】
しかし、上記の発明は以下の問題を有している。
【０００５】
従来のプリンタ装置においては、ＰＣ、ワークステーション等から指定された用紙サイズ、用紙種類、用紙向き等の印刷条件に基づいて、プリンタ装置側で指定された印刷条件に対応する用紙を保持する給紙トレイを選択し、給送していた。そのため、プリンタ装置の機器側に給紙トレイを選択するプリンタドライバ等を設けなければならず、装置コストを削減することが困難であった。
【０００６】
また、印刷条件に基づいて複数の給紙トレイから該印刷条件に対応する給紙トレイを選択する機能をプリンタ装置が有しない場合、ユーザは印刷時に常に、印刷条件に対応する給紙トレイを意識して、給紙トレイの選択をも行わなければならず、その操作が煩雑であった。
【０００７】
本発明は、プリンタ装置側において印刷条件に対応する自動給紙トレイ選択処理を行うのではなく、ＰＣ等が有するプリンタドライバにおいて、予め双方向通信やユーザからの設定によって得られた機器搭載の給紙トレイの情報（用紙サイズ、用紙種類、用紙向き、トレイ数など）と、プリンタ装置によって印刷する原稿のデータとにより、用紙を給送する給紙トレイを選択するプリンタドライバ、及び情報処理端末を提案することを目的としている。
【課題を解決するための手段】
【０００８】
請求項１記載の発明は、複数の給紙トレイを備える画像形成装置のプリンタドライバにおいて、前記各給紙トレイが保持する用紙の用紙種類、用紙サイズ、及び向きに基づき、印刷原稿に対応する用紙を保持する前記給紙トレイを設定することを特徴とする。
【０００９】
請求項２記載の発明は、請求項１記載のプリンタドライバにおいて、前記印刷原稿の用紙サイズが、いずれの給紙トレイに保持される用紙のサイズとも一致しなかった場合、用紙サイズにかかわらず、前記印刷原稿の用紙種類と一致する用紙を保持する給紙トレイからの給紙を設定することを特徴とする。
【００１０】
請求項３記載の発明は、請求項１記載のプリンタドライバにおいて、前記画像形成装置が全ての用紙を保持できる第１の給紙トレイと、特定の用紙のみ保持できる第２の給紙トレイとを有し、前記印刷原稿の用紙サイズがいずれの給紙トレイに保持される用紙のサイズとも一致せず、かつ前記印刷原稿の用紙種類及び向きが全ての給紙トレイと一致している場合、前記第２の給紙トレイからの給紙を設定することを特徴とする。
【００１１】
請求項４記載の発明は、請求項１記載のプリンタドライバにおいて、前記画像形成装置が全ての用紙を保持できる第１の給紙トレイと、特定の用紙のみ保持できる第２の給紙トレイとを有し、前記印刷原稿の用紙サイズがいずれの給紙トレイに保持される用紙のサイズとも一致せず、前記印刷原稿の用紙種類が全ての給紙トレイと一致し、かつ前記印刷原稿の向きが前記第１の給紙トレイとのみ一致している場合、前記第１の給紙トレイからの給紙を設定することを特徴とする。
【００１２】
請求項５記載の発明は、請求項１記載のプリンタドライバにおいて、前記画像形成装置が全ての用紙を保持できる第１の給紙トレイと、特定の用紙のみ保持できる第２の給紙トレイとを有し、前記印刷原稿の用紙サイズがいずれの給紙トレイに保持される用紙のサイズとも一致せず、前記印刷原稿の用紙種類が全ての給紙トレイと一致し、かつ前記印刷原稿の向きが前記第１の給紙トレイと一致しなかった場合、前記第２の給紙トレイからの給紙を設定することを特徴とする。
【００１３】
請求項６記載の発明は、請求項１記載のプリンタドライバにおいて、前記画像形成装置が全ての用紙を保持できる第１の給紙トレイと、特定の用紙のみ保持できる第２の給紙トレイとを有し、前記印刷原稿の用紙サイズが全ての給紙トレイに保持される用紙のサイズと一致し、かつ前記印刷原稿の用紙種類及び向きが全ての給紙トレイと一致した場合、用紙サイズにかかわらず、前記第２の給紙トレイからの給紙を設定することを特徴とする。
【００１４】
請求項７記載の発明は、請求項１記載のプリンタドライバにおいて、前記画像形成装置が全ての用紙を保持できる第１の給紙トレイと、特定の用紙のみ保持できる第２の給紙トレイとを有し、前記印刷原稿の用紙サイズが全ての給紙トレイに保持される用紙のサイズと一致し、前記印刷原稿の用紙種類が全ての給紙トレイと一致し、かつ前記印刷原稿の向きが全ての用紙種類を保持できる給紙トレイとのみ一致した場合、用紙サイズにかかわらず、前記第１の給紙トレイからの給紙を設定することを特徴とする。
【００１５】
請求項８記載の発明は、請求項１記載のプリンタドライバにおいて、前記画像形成装置が全ての用紙を保持できる第１の給紙トレイと、特定の用紙のみ保持できる第２の給紙トレイとを有し、前記印刷原稿の用紙サイズが全ての給紙トレイに保持される用紙のサイズと一致し、前記印刷原稿の用紙種類が全ての給紙トレイと一致し、かつ前記印刷原稿の向きが前記第１の給紙トレイと一致しなかった場合、用紙サイズにかかわらず、前記第２の給紙トレイからの給紙を設定することを特徴とする。
【００１６】
請求項９記載の発明は、請求項１記載のプリンタドライバにおいて、前記画像形成装置が全ての用紙を保持できる第１の給紙トレイと、特定の用紙のみ保持できる第２の給紙トレイとを有し、前記印刷原稿の用紙サイズが全ての給紙トレイに保持される用紙のサイズと一致し、かつ前記印刷原稿の用紙種類が前記第２の給紙トレイとのみ一致した場合、用紙サイズにかかわらず、前記第２の給紙トレイからの給紙を設定することを特徴とする。
【００１７】
請求項１０記載の発明は、請求項１記載のプリンタドライバにおいて、前記画像形成装置が全ての用紙を保持できる第１の給紙トレイと、特定の用紙のみ保持できる第２の給紙トレイとを有し、前記印刷原稿の用紙サイズが全ての給紙トレイに保持される用紙のサイズと一致し、かつ前記印刷原稿の用紙種類が前記第２の給紙トレイとのみ一致した場合、用紙サイズにかかわらず、前記第２の給紙トレイからの給紙を設定することを特徴とする。
【００１８】
請求項１１記載の発明は、請求項１記載のプリンタドライバにおいて、前記画像形成装置が全ての用紙を保持できる第１の給紙トレイと、特定の用紙のみ保持できる第２の給紙トレイとを有し、前記印刷原稿の用紙サイズが前記第１の給紙トレイとのみ一致し、かつ前記印刷原稿の用紙サイズが全ての給紙トレイと一致した場合、前記第１の給紙トレイからの給紙を設定することを特徴とする。
【００１９】
請求項１２記載の発明は、請求項１記載のプリンタドライバにおいて、前記画像形成装置が全ての用紙を保持できる第１の給紙トレイと、特定の用紙のみ保持できる第２の給紙トレイとを有し、前記印刷原稿の用紙サイズ及び用紙種類が前記第２の給紙トレイとのみ一致した場合、前記第２の給紙トレイからの給紙を設定することを特徴とする。
【００２０】
請求項１３記載の発明は、請求項１記載のプリンタドライバにおいて、前記画像形成装置が全ての用紙を保持できる第１の給紙トレイと、特定の用紙のみ保持できる第２の給紙トレイとを有し、前記印刷原稿の用紙サイズが前記第２の給紙トレイとのみ一致し、かつ前記印刷原稿の用紙種類が全ての給紙トレイと一致した場合、前記第２の給紙トレイからの給紙を設定することを特徴とする。
【００２１】
請求項１４記載の発明は、請求項１記載のプリンタドライバにおいて、前記画像形成装置が全ての用紙を保持できる第１の給紙トレイと、特定の用紙のみ保持できる第２の給紙トレイとを有し、前記印刷原稿の用紙サイズ及び用紙種類が全ての給紙トレイと一致しない場合、前記第１の給紙トレイからの給紙を設定することを特徴とする。
【００２２】
請求項１５記載の発明は、請求項１記載のプリンタドライバにおいて、前記画像形成装置が全ての用紙を保持できる第１の給紙トレイと、特定の用紙のみ保持できる第２の給紙トレイとを有し、前記印刷原稿の用紙サイズが全ての給紙トレイと一致せず、かつ前記印刷原稿の用紙種類が前記第１の給紙トレイとのみ一致した場合、前記第１の給紙トレイからの給紙を設定することを特徴とする。
【００２３】
請求項１６記載の発明は、請求項１記載のプリンタドライバにおいて、前記画像形成装置が全ての用紙を保持できる第１の給紙トレイと、特定の用紙のみ保持できる第２の給紙トレイとを有し、前記印刷原稿の用紙サイズが全ての給紙トレイと一致し、かつ前記印刷原稿の用紙種類が全ての給紙トレイと一致しなかった場合、前記第１の給紙トレイからの給紙を設定することを特徴とする。
【００２４】
請求項１７記載の発明は、請求項１記載のプリンタドライバにおいて、前記画像形成装置が全ての用紙を保持できる第１の給紙トレイと、特定の用紙のみ保持できる第２の給紙トレイとを有し、前記印刷原稿の用紙サイズが全ての給紙トレイと一致し、かつ前記印刷原稿の用紙種類が前記第１の給紙トレイとのみ一致した場合、前記第１の給紙トレイからの給紙を設定することを特徴とする。
【００２５】
請求項１８記載の発明は、請求項１記載のプリンタドライバにおいて、前記画像形成装置が全ての用紙を保持できる第１の給紙トレイと、特定の用紙のみ保持できる第２の給紙トレイとを有し、前記印刷原稿の用紙サイズが前記第１の給紙トレイとのみ一致し、かつ前記印刷原稿の用紙種類が全ての給紙トレイと一致しなかった場合、前記第１の給紙トレイからの給紙を設定することを特徴とする。
【００２６】
請求項１９記載の発明は、請求項１記載のプリンタドライバにおいて、前記画像形成装置が全ての用紙を保持できる第１の給紙トレイと、特定の用紙のみ保持できる第２の給紙トレイとを有し、前記印刷原稿の用紙サイズ及び用紙種類が前記第１の給紙トレイとのみ一致した場合、前記第１の給紙トレイからの給紙を設定することを特徴とする。
【００２７】
請求項２０記載の発明は、請求項１記載のプリンタドライバにおいて、前記画像形成装置が全ての用紙を保持できる第１の給紙トレイと、特定の用紙のみ保持できる第２の給紙トレイとを有し、前記印刷原稿の用紙サイズが前記第２の給紙トレイとのみ一致し、かつ前記印刷原稿の用紙種類が全ての給紙トレイと一致しなかった場合、前記第１の給紙トレイからの給紙を設定することを特徴とする。
【００２８】
請求項２１記載の発明は、請求項１記載のプリンタドライバにおいて、前記画像形成装置が全ての用紙を保持できる第１の給紙トレイと、特定の用紙のみ保持できる第２の給紙トレイとを有し、前記印刷原稿の用紙サイズが前記第２の給紙トレイとのみ一致し、かつ前記印刷原稿の用紙種類が前記第１の給紙トレイとのみ一致した場合、前記第１の給紙トレイからの給紙を設定することを特徴とする。
【００２９】
請求項２２記載の情報処理端末は、請求項１から２２のいずれか１項記載のプリンタドライバを有することを特徴とする。
【発明の効果】
【００３０】
本発明は、画像形成装置側における自動給紙トレイ選択処理としてではなく、印刷動作を要求するプリンタドライバにおいて、予め双方向通信や、ユーザからの設定によって得られた、機器搭載の給紙トレイの情報（用紙サイズ、用紙種類、用紙向き、トレイ数など）に基づいて、印刷原稿に対応する用紙を保持する給紙トレイを自動選択することにより、画像形成装置にかかるコストを抑えることが可能となり、コストダウンを達成することができる。
【発明を実施するための最良の形態】
【００３１】
以下、本発明の一実施形態に係るプリントシステムの構成及び動作について説明する。
【００３２】
まず、本実施形態に係るプリントシステムの構成について図１を用いて説明する。
【００３３】
本実施形態に係るプリントシステムは、複数の給紙トレイを有する画像形成装置１０、ユーザから印刷要求の受け付け、画像形成装置１０への印刷条件の設定等を行うプリンタドライバを有するＰＣ２０、及び画像形成装置１０とＰＣ２０との双方向通信を実現するネットワーク３０を有して構成される。本実施形態において、ネットワークは、Internet/Intranet又はローカルポート（ＵＳＢ／セントロ／ＩＥＥＥ１３９４など）などの通信インフラとする。
【００３４】
本実施形態に係るプリンタシステムは、画像形成装置１０とＰＣ２０間において、給紙トレイのあり／なし、及び各給紙トレイの情報（セットされている用紙サイズ、用紙種類、セットされている用紙の向き）を双方向通信機能により授受し、その情報をＰＣ２０が有するプリンタドライバなどの双方向通信情報を利用するソフトエアに供与する機能を有している。また、何らかの都合にて双方向通信が不能な場合には、プリンタドライバなどの双方向通信情報を利用するソフトウェア上にて、ユーザが各給紙トレイの情報をマニュアル（双方向通信で自動設定する方をオートとすならば）で実施することも可能である。
【００３５】
次に、ＰＣ２０のソフトウェア構成について図２を用いて説明する。
【００３６】
ＰＣ２０のソフトウェア構成は、印刷を実施するソフトウェアからなるプリンタアプリケーション２０１、ＰＣ２０のシステム管理と、基本的なユーザ操作環境を提供するソフトウェアからなるＯＳ２０２、ユーザから印刷要求の受け付け、画像形成装置１０へ印刷条件を設定するプリンタドライバ２０３、ＰＣ２０のソフトウェア全体の処理効率向上を図るソフトウェアからなる印刷スプーラ２０４、及び印刷を実施する原稿のデータ及び画像形成装置１０への印刷条件の送信を実行するソフトウェアからなるネットワークポート２０５を有して構成される。本ソフトウェア構成例は、プリンタドライバ２０３の前後にて、作用するソフトウェアモジュールを例として掲げているが、環境によってはこの例の限りでなく、さまざまな構成をとり得るものとする。
【００３７】
次に、図３に示すフローチャートを用いて、プリンタドライバ２０３において印刷条件を決定し、該印刷条件を画像形成装置１０に設定する動作について詳細に説明する。なお、画像形成装置１０は、印刷時にプリンタアプリケーション２０１からの指示を受けて、印刷を実行する。また、本実施形態に係る画像形成装置１０は、普通紙しか保持することができない給紙トレイ２と、全ての種類の用紙を保持することができる給紙トレイ１とを有しているものとする。ここで、給紙トレイ２は、保持できる用紙サイズ、及び保持する用紙の向きをユーザが任意に変更できないものとする。給紙トレイ１は、保持できる用紙サイズ、及び保持する用紙の向きをユーザが任意に変更できるものとする。本実施形態においては、２つの給紙トレイを有する画像形成装置１０について説明するが、２以上の給紙トレイを有していればよく、その数に制限はない。
【００３８】
プリンタドライバ２０３は、以下の手順により、印刷原稿の用紙サイズ、用紙種類、用紙の向きと、予め双方向通信又はユーザによるマニュアルの設定により入手した画像形成装置１０が有する各給紙トレイの情報とを照合し、使用する給紙トレイを決定する。なお、本実施形態において、プリンタドライバ２０３は表１に従って給紙トレイを決定した。
【００３９】
【表１】
2007233467.tif 000003
【００４０】
まず、プリンタドライバ２０３は、全ての給紙トレイに保持される用紙種類と印刷原稿の用紙種類とが一致しないか否かを判断する（ステップＳ３０１）。印刷原稿の用紙種類がいずれの給紙トレイに保持される用紙種類とも一致しなかった場合は（ステップＳ３０１／ＹＥＳ）、固定の用紙種類のみ給紙（セット）可能であるトレイ２（さらに本実施例では、その固定の用紙種類を、普通紙として紹介することとする）を給紙トレイから外し、残りのトレイで給紙トレイを選択することになる。尚本実施例では、便宜上、トレイは２個とし、トレイ１は、すべての用紙種類を給紙可能なトレイとしているため、残りのトレイは、本トレイ１となることになる。これにて、給紙トレイはトレイ１に設定される（ステップＳ３１１）。
【００４１】
一方、印刷原稿の用紙種類がいずれか１つの給紙トレイに保持される用紙種類と一致した場合は（ステップＳ３０１／ＮＯ）、印刷原稿の用紙種類がトレイ２の用紙種類と一致するか否かを判断する（ステップＳ３０２）。印刷原稿の用紙種類がトレイ２の用紙種類と一致しなかった場合は（ステップＳ３０２／ＮＯ）、すべての用紙種類を給紙可能な給紙トレイであるトレイ１を給紙トレイとして設定する（ステップＳ３１１）。
【００４２】
印刷原稿の用紙種類がトレイ２の用紙種類と一致した場合は（ステップＳ３０２／ＹＥＳ）、トレイ２以外のトレイ、すなわち本実施形態においては、トレイ１であるが、そのトレイ１に保持される用紙種類と一致するか否かを判断する（ステップＳ３０３）。これは、トレイ２とのみ用紙種類が一致するかを判断することと同じである。つまりトレイ２とのみ一致した場合（ステップＳ３０３／ＮＯ）、トレイ２を給紙トレイとして設定する（ステップＳ３１０）。
【００４３】
印刷原稿の用紙種類と、トレイ１およびトレイ２のすべてのトレイに保持される用紙種類とが一致した場合（ステップＳ３０３／ＹＥＳ）、印刷原稿のサイズがトレイ１及び２に保持される用紙サイズの両方と一致するか否かを判断する（ステップＳ３０４）。印刷原稿のサイズがトレイ１及び２に保持される用紙サイズの両方と一致した場合は（ステップＳ３０４／ＹＥＳ）、印刷原稿がトレイ１及び２に保持される用紙の両方と向きが一致するか否かを判断する（ステップＳ３０７）。印刷原稿の各トレイの向きがトレイ１およびトレイ２の両方と一致した場合、つまり、全てのトレイで向きが一致した場合（ステップＳ３０７／ＹＥＳ）、用紙種類、サイズ、及び向きのすべてがトレイ１およびトレイ２と一致したことになり、この場合特定の用紙種類（例：普通紙）優先トレイである、トレイ２を給紙トレイとして設定する（ステップＳ３１０）。
【００４４】
印刷原稿がトレイ１及び２に保持される用紙の両方と向きが一致しなかった場合（ステップＳ３０７／ＮＯ）、印刷原稿がトレイ１とのみ向きが一致するか否かを判断する（ステップＳ３０８）。印刷原稿がトレイ１とのみ向きが一致した場合（ステップＳ３０８／ＹＥＳ）、向きの一致を尊重し、トレイ１を給紙トレイとして設定する（ステップＳ３１１）。
【００４５】
印刷原稿がトレイ１とのみ向きが一致しなかった場合（ステップＳ３０８／ＮＯ）、印刷原稿の向きがトレイ２に保持される用紙の向きとのみ一致するか否かを判断する（ステップＳ３０９）。印刷原稿の向きがトレイ２に保持される用紙の向きとのみ一致した場合（ステップＳ３０９／ＹＥＳ）、向きの一致を尊重し、トレイ２を給紙トレイとして設定する（ステップＳ３１０）。
【００４６】
また、印刷原稿の向きが全てのトレイに保持される用紙の向きと一致しなかった場合は（ステップＳ３０９／ＮＯ）、向きの照合結果を不問とし、用紙種類、サイズの一致がトレイ１、トレイ２のすべての給紙トレイでみられたことを尊重し、この場合特定の用紙種類（例：普通紙）優先トレイである、トレイ２を給紙トレイとして設定する（ステップＳ３１０）。
【００４７】
また、トレイ１のサイズ一致があり且つトレイ２とのサイズ一致もある場合（ステップＳ３０４／ＮＯ）、トレイ１とのみサイズの一致があるか否かを判断する（ステップＳ３０５）。印刷原稿がトレイ１とのみサイズが一致した場合（ステップＳ３０５／ＹＥＳ）、サイズ一致を尊重して、トレイ１を給紙トレイとして設定する（ステップＳ３１１）。
【００４８】
印刷原稿がトレイ１以外のトレイに保持される用紙のサイズと一致した場合（ステップＳ３０５／ＮＯ）、印刷原稿がトレイ２に保持される用紙のサイズとのみ一致するか否かを判断する（ステップＳ３０６）。印刷原稿がトレイ２に保持される用紙のサイズとのみ一致する場合は（ステップＳ３０６／ＹＥＳ）、サイズ一致を尊重して、トレイ２を給紙トレイとして設定する（ステップＳ３１０）。
【００４９】
一方、トレイ１およびトレイ２の全てのトレイにおいて、用紙種類の一致が見られ、かつサイズの一致が見られない場合（ステップＳ３０６／ＮＯ）、印刷原稿がトレイ１及び２に保持される用紙の両方と向きが一致するか否かを判断する（ステップＳ３０７）。印刷原稿の各トレイの向きがトレイ１およびトレイ２の両方と一致した場合、つまり、全てのトレイで向きが一致した場合（ステップＳ３０７／ＹＥＳ）、用紙種類、サイズ、及び向きのすべてがトレイ１およびトレイ２と一致したことになり、この場合特定の用紙種類（例：普通紙）優先トレイである、トレイ２を給紙トレイとして設定する（ステップＳ３１０）。
【００５０】
印刷原稿がトレイ１及び２に保持される用紙の両方と向きが一致しなかった場合（ステップＳ３０７／ＮＯ）、印刷原稿がトレイ１とのみ向きが一致するか否かを判断する（ステップＳ３０８）。印刷原稿がトレイ１とのみ向きが一致した場合（ステップＳ３０８／ＹＥＳ）、向きの一致を尊重し、トレイ１を給紙トレイとして設定する（ステップＳ３１１）。
【００５１】
印刷原稿がトレイ１とのみ向きが一致しなかった場合（ステップＳ３０８／ＮＯ）、印刷原稿の向きがトレイ２に保持される用紙の向きとのみ一致するか否かを判断する（ステップＳ３０９）。印刷原稿の向きがトレイ２に保持される用紙の向きとのみ一致した場合（ステップＳ３０９／ＹＥＳ）、向きの一致を尊重し、トレイ２を給紙トレイとして設定する（ステップＳ３１０）。
【００５２】
また、印刷原稿の向きが全てのトレイに保持される用紙の向きと一致しなかった場合は（ステップＳ３０９／ＮＯ）、向きの照合結果を不問とし、用紙種類、サイズの一致がトレイ１、トレイ２のすべての給紙トレイでみられたことを尊重し、この場合特定の用紙種類（例：普通紙）優先トレイである、トレイ２を給紙トレイとして設定する（ステップＳ３１０）。
【００５３】
上述の構成によれば、画像形成装置側における自動給紙トレイ選択処理としてではなく、印刷動作を要求するプリンタドライバにおいて、予め双方向通信や、ユーザからの設定によって得られた、機器搭載の給紙トレイの情報（用紙サイズ、用紙種類、用紙向き、トレイ数など）に基づいて、印刷原稿に対応する用紙を保持する給紙トレイを自動選択することにより、画像形成装置にかかるコストを抑えることが可能となり、コストダウンを達成することが可能となる。
【００５４】
さらに、ユーザからの印刷を所望する用紙サイズ、用紙種類、用紙向きから自己判断する給紙トレイ指定設定処理を省き、その決定処理を自動処理にてプリンタドライバで実施することで、ユーザに常に最適な自動給紙トレイ選択処理を自動で実施することが可能となり、ユーザの煩雑な操作を軽減することが可能となる。
【図面の簡単な説明】
【００５５】
【図１】本実施形態に係るプリントシステムの構成を示すブロック図である。
【図２】本実施形態に係るプリンタドライバ周辺のソフトウェア構成を示すブロック図である。
【図３】本実施形態に係るプリンタドライバの動作手順を示すフローチャートである。
【符号の説明】
【００５６】
１０    画像形成装置
２０    ＰＣ
３０    ネットワーク
２０１    プリンタアプリケーション
２０２    ＯＳ
２０３    プリンタドライバ
２０４    印刷スプーラ
２０５    ネットワークポート
【図１】
2007233467.tif 000004
【図２】
2007233467.tif 000005
【図３】
2007233467.tif 000006